(57)【要約】      （修正有）【課題】相手方から攻撃を受けた際にも倒れにくく、防御力に優れたコマ玩具を提供する。【解決手段】回転中心と一致する軸線を軸中心とする軸本体部２０と、該軸本体部２０を保持する軸保持部と、を有する軸部１０を備え、軸本体部２０の、軸部１０における下端部には、接地面に接地した際接地部分が弾性変形可能に形成された環状の接地部２５１を有する接地部材２５が設けられており、少なくとも接地部材２５は、軸保持部に対して軸周りに自由回転する回転部材として構成されている。【選択図】図２
2020005937.tif 000002
【特許請求の範囲】
【請求項１】
回転中心と一致する軸線を軸中心とする軸本体部と、該軸本体部を保持する軸保持部と、を有する軸部を備え、
前記軸本体部の、前記軸部における下端部には、接地面に接地した際接地部分が弾性変形可能に形成された環状の接地部を有する接地部材が設けられており、
少なくとも前記接地部材は、前記軸保持部に対して軸周りに自由回転する回転部材として構成されていることを特徴とするコマ玩具。
【請求項２】
前記軸本体部は、前記回転中心と一致する軸線を軸中心とする軸芯部材を有し、前記接地部材は、該軸芯部材の下方に配置されており、
前記軸本体部全体が前記軸保持部に対して軸周りに自由回転する前記回転部材として構成されていることを特徴とする請求項１に記載のコマ玩具。
【請求項３】
前記回転部材と前記軸保持部との間に介在するベアリング部材をさらに備えていることを特徴とする請求項１又は請求項２に記載のコマ玩具。
【請求項４】
前記接地部材は、前記接地部が前記接地面に吸着可能な吸盤であることを特徴とする請求項１から請求項３のいずれか一項に記載のコマ玩具。
【請求項５】
前記軸本体部は、前記軸保持部に対して上下動可能な余地を備えて配置されていることを特徴とする請求項１から請求項４のいずれか一項に記載のコマ玩具。
【発明の詳細な説明】
【技術分野】
【０００１】
本発明はコマ玩具に関するものである。
【背景技術】
【０００２】
従来、コマ玩具を胴部と軸部（特許文献１において「芯棒」）とで構成し、軸部（芯棒）を胴部に対して回転自由とするとともに、軸部（芯棒）の底部を平面状に形成したコマ玩具（特許文献１において「こま」）が知られている（例えば、特許文献１参照）。
コマ玩具をこのような構成とすることで、一点で安定的に回転する一般的なコマ玩具と異なり、回転しつつも直線的に移動するような運動をコマ玩具にさせることができ、遊戯具としての面白さを高めることができる。
【先行技術文献】
【特許文献】
【０００３】
【特許文献１】実開昭６０−４７５８８号公報
【発明の概要】
【発明が解決しようとする課題】
【０００４】
しかしながら、上記特許文献１に記載のコマ玩具は、軸部（芯棒）が傾いた際に、軸部（芯棒）における平面状の底部の周縁部が床面と接触することで接線方向への移動要素に従い、直線状に走るような運動をするものである。
すなわち、コマ玩具が、殆ど常に走っているような運動を続けることを特徴とし、その動きの面白さを楽しむことに主眼を置いている。
【０００５】
この点、いわゆるコマバトルゲームのように、コマ玩具同士を衝突させて遊ぶ場合には、相手方のコマ玩具による攻撃を受けた際の防御力も重要であるところ、軸部（芯棒）の底部が平面状である場合には、衝撃によりバランスを崩しやすい。
そして、コマ玩具がバランスを崩した際には、上記のようにコマ玩具が直線的に走り回るように動くため、所定の対戦フィールドから飛び出しやすくなる。
このため、特許文献１に記載のコマ玩具は、コマ玩具同士を衝突・対戦させる遊び方をする場合には、不利となってしまう。
【０００６】
本発明は以上のような事情に鑑みてなされたものであり、相手方から攻撃を受けた際にも倒れにくく、防御力に優れたコマ玩具を提供することを目的とする。
【課題を解決するための手段】
【０００７】
第１の手段は、
回転中心と一致する軸線を軸中心とする軸本体部と、該軸本体部を保持する軸保持部と、を有する軸部を備え、
前記軸本体部の、前記軸部における下端部には、接地面に接地した際接地部分が弾性変形可能に形成された環状の接地部を有する接地部材が設けられており、
少なくとも前記接地部材は、前記軸保持部に対して軸周りに自由回転する回転部材として構成されていることを特徴とするコマ玩具。
【０００８】
第２の手段は、第１の手段において、
前記軸本体部は、前記回転中心と一致する軸線を軸中心とする軸芯部材を有し、前記接地部材は、該軸芯部材の下方に配置されており、
前記軸本体部全体が前記軸保持部に対して軸周りに自由回転する前記回転部材として構成されていることを特徴とする。
【０００９】
第３の手段は、第１の手段又は第２の手段において、
前記回転部材と前記軸保持部との間に介在するベアリング部材をさらに備えていることを特徴とする。
【００１０】
第４の手段は、第１の手段から第３の手段のいずれか一の手段において、
前記接地部材は、前記接地部が前記接地面に吸着可能な吸盤であることを特徴とする。
【００１１】
第５の手段は、第１の手段から第４の手段のいずれか一の手段において、
前記軸本体部は、前記軸保持部に対して上下動可能な余地を備えて配置されていることを特徴とする。
【発明の効果】
【００１２】
本発明によれば、コマ玩具の接地部材の接地部が、接地面に接地した際接地部分が弾性変形可能に形成されており、少なくとも接地部材が軸保持部に対して軸周りに自由回転するように構成されている。
これにより、接地面に対して軸部が傾いた状態でコマ玩具が回転するようになり、対戦相手のコマ玩具と側面同士で衝突するのを避けることができ、衝突によるダメージを受けにくく、長時間回転し続けることのできるコマ玩具を実現できる。
【００１３】
また、軸本体部は、回転中心と一致する軸線を軸中心とする軸芯部材を有し、接地部材を含む軸本体部全体が軸保持部に対して軸周りに自由回転するとした場合にも接地面に対して軸部が傾いた状態でコマ玩具が回転するようになり、衝突によるダメージを受けにくい、長時間回転し続けることのできるコマ玩具とすることができる。
また、コマ玩具において自由回転する部分である軸本体部等の回転部材と軸保持部との間に介在するベアリング部材をさらに備えた場合には、軸本体部等の回転部材の軸保持部に対する摩擦を低減させることができ、コマ玩具が長時間円滑に回転し続けることができる。
さらに、コマ玩具における接地部材の接地部を接地面に吸着可能な吸盤とした場合には、接地部材が接地面に吸着することで、対戦相手のコマ玩具による攻撃等により衝撃を受けた際にも粘り強く、フィールドにとどまることができる。
また、軸本体部を軸保持部に対して上下動可能な余地を備えて配置した場合には、より回転しやすくすることができ、コマ玩具が長時間円滑に回転し続けることができる。
【図面の簡単な説明】
【００１４】
【図１】（ａ）は、本発明に係るコマ玩具の一実施形態の斜視図であり、（ｂ）は、その遊び方を説明するための図である。
【図２】（ａ）は、本発明に係るコマ玩具の軸部の一実施形態の斜視図であり、（ｂ）は、（ａ）における左右方向の断面図である。
【図３】本実施形態のコマ玩具の軸部の分解斜視図である。
【図４】（ａ）は、本実施形態のコマ玩具の軸本体部の斜視図であり、（ｂ）は、軸本体部の断面図である。
【図５】（ａ）は、本実施形態の接地部材の斜視図であり、（ｂ）は、本実施形態の一変形例の接地部材の斜視図であり、（ｃ）は、（ｂ）に示す接地部材の断面図である。
【図６】軸部の軸線が傾いている常態における接地状態を示すコマ玩具の側面図である。
【図７】（ａ）は、軸部の軸線が傾かずに回転する一般的なコマ玩具同士が衝突する様子を示す模式図であり、（ｂ）は、軸部の軸線が傾いて回転する本実施形態のコマ玩具と一般的なコマ玩具とが衝突する様子を示す模式図である。
【発明を実施するための形態】
【００１５】
以下、図１（ａ）及び図１（ｂ）から図７（ａ）及び図７（ｂ）を参照しつつ、本発明に係るコマ玩具の一実施形態について説明する。
なお、以下の実施形態には、本発明を実施するために技術的に好ましい種々の限定が付されているが、本発明の範囲を以下の実施形態及び図示例に限定するものではない。
【００１６】
《全体構成》
図１（ａ）は、本発明に係るコマ玩具の一実施形態の斜視図であり、図１（ｂ）は、コマ玩具の遊び方を説明した図である。
本実施形態のコマ玩具１は、いわゆるコマバトルゲームに使用することが可能なコマ玩具である。
具体的には、このコマ玩具１は、互いの衝突による衝撃力で相手方のコマ玩具１を図１（ｂ）に示すように分解させて勝利とするようなバトルゲームに使用することができる。
このコマ玩具１は、図２に示すように、下部構造を構成しドライバとなる軸部１０と、上部構造を構成する性能可変リング３０及び胴体４０によって構成されている。胴体４０は、性能可変リング３０を介して軸部１０に取り付けられるようになっている。
なお、以下においては、本実施形態において特徴的構成を有する部分である軸部１０について詳細に説明する。
【００１７】
《軸部の細部構成》
図２（ａ）は、本実施形態のコマ玩具の軸部の斜視図である。なお、本実施形態においては、上下、左右及び前後は図２（ａ）に示した向きをいうものとする。
図２（ｂ）は、本実施形態のコマ玩具の軸部を図２（ａ）における左右方向に切断した場合の断面図である。
また、図３は、本実施形態における軸部の分解斜視図である。
【００１８】
本実施形態において、軸部１０は、コマ玩具１の回転中心と一致する軸線を軸中心とする軸本体部２０と、該軸本体部２０を保持する軸保持部５０と、を有している（図３参照）。
本実施形態では、軸本体部２０（図３及び図４（ａ）、図４（ｂ）参照）は、軸部１０のほぼ中央部に、軸部１０の軸線に沿って配置されている（図２（ｂ）参照）。
図２（ａ）、図２（ｂ）及び図３に示すように、軸部１０の外観構成としては、上下方向中間部に鍔部１２、上部に円筒部１３を備え、下端部に軸本体部２０を構成する接地部材２５が配置されている。
図３に示すように、本実施形態において、軸部１０は、軸保持部５０として、上部ケース１４、押圧部材１５、柱状部材１６、軸支持部材１７等を備えている。なお、軸保持部５０の構成はこれに限定されず、必ずしもこれら全ての部材を備えていなくてもよいし、これ以外の部材を備えていてもよい。
【００１９】
軸部１０の外観構成のうち、鍔部１２と円筒部１３とは、上部ケース１４として一体に形成されており、軸部上部を構成している。
上部ケース１４の円筒部１３及び鍔部１２には、軸部１０の軸線を挟み左右方向で対峙する部位２箇所それぞれに突出部１４１が形成されている。この突出部１４１の外面は鍔部１２の外周面とほぼ面一となっている。
また、図２（ａ）、図２（ｂ）及び図３に示すように、上部ケース１４の円筒部１３及び鍔部１２には、軸部１０の軸線を挟み前後方向で対峙する部位２箇所それぞれに切欠き部１４２が形成されている。切欠き部１４２は、軸部１０の軸線に沿って延在している。
【００２０】
押圧部材１５は、ほぼ円筒状に形成されており、円筒部１５１と、天井部１５２と、脚部１５３とを備えている。
本実施形態において押圧部材１５は合成樹脂で形成されているが、押圧部材１５は金属製等であってもよい。
円筒部１５１の外径は、上部ケース１４の円筒部１３の内径よりも小さくなっており、組み立て状態において、押圧部材１５の円筒部１５１は、上部ケース１４の円筒部１３内に配置される。
また、円筒部１５１の内径は、後述する柱状部材１６の上端部の外径よりも大きく形成されており、柱状部材１６の上端部が円筒部１５１内に嵌め込まれるようになっている。
天井部１５２は円筒部１５１の上端に設けられている。この天井部１５２には、柱状部材１６の上端部に対応する形状の開口部１５４が形成されている。
また、脚部１５３は、円筒部１５１の外周下端部に設けられている。
この脚部１５３は、円筒部１５１の外周のうち、軸部１０の軸線を挟み前後方向で対峙する部位２箇所それぞれに形成されている。
【００２１】
このように構成された押圧部材１５は、組み立て状態において、脚部１５３が上記上部ケース１４の切欠き部１４２に挿入されるようにして設置される。切欠き部１４２は上下方向の寸法が脚部１５３の長さ寸法よりも大きく設定されており、脚部１５３が切欠き部１４２内を上下方向に案内されることで、押圧部材１５は軸部１０の軸線に沿って上下方向に移動可能となっている。
この押圧部材１５は図示しないスプリングによって上方に付勢されている。この押圧部材１５は、脚部１５３が切欠き部１４２の上縁に突き当たることにより上方への移動が規制されており、常態では、押圧部材１５の上端は上部ケース１４の円筒部１３の上端とほぼ同じ高さ位置に配置される。
また、押圧部材１５の天井部１５２の上面には、軸部１０の軸線を挟み左右方向で対峙する部位２箇所それぞれに半径方向に延びる凸条（突起）１５７が形成されている。
【００２２】
柱状部材１６は、ほぼ円筒状に形成された筒状部１６１と、天井部１６２と、脚部１６３とを備えている。
筒状部１６１の外径は、押圧部材１５の円筒部１５１の内径よりも小さくなっており、組み立て状態において、柱状部材１６の筒状部１６１は、押圧部材１５の円筒部１５１内に配置される。そして、前述のように、柱状部材１６の上端部が、押圧部材１５の開口部１５４に嵌め込まれるようになっている。
また、脚部１６３は、筒状部１６１の外周下端部に設けられている。
この脚部１６３は、筒状部１６１の外周のうち、軸部１０の軸線を挟み左右方向で対峙する部位２箇所それぞれに形成されている。
この脚部１６３は、筒状部１６１からほぼ水平に張り出しており、一対の脚部１６３のほぼ対称位置に、軸線方向に貫通する貫通孔１６４が形成されている。
【００２３】
軸支持部材１７は、後述する軸本体部２０の軸芯部材２１を支持するものである。
軸支持部材１７は、円筒状の柱状部１７１と、柱状部１７１の外周から外側に向かって張り出す一対の張出部１７２とを有している。
柱状部１７１の内部は柱状部１７１の上端部から軸支持部材１７の下端部まで貫通した貫通孔１７３となっており、軸支持部材１７における下側面であって柱状部１７１に対応する位置（すなわち、軸支持部材１７の下側のほぼ中央部）には、凹部１７４（図２（ｂ）参照）が形成されている。
柱状部１７１の外径は、柱状部材１６の筒状部１６１の内径よりも小さくなっており、組み立て状態において、軸支持部材１７の柱状部１７１は、柱状部材１６の筒状部１６１内に配置される。
柱状部１７１の内径は、後述する軸本体部２０の軸芯部材２１の外径よりも大きく形成されており、組み立て状態において、柱状部１７１の内部には軸芯部材２１が挿通される。
また、凹部１７４の内径は、後述する軸本体部２０の接地支持部材２４の筒状部２４３の外径よりも大きく形成されており、組み立て状態において、凹部１７４の内部には接地支持部材２４の筒状部２４３が嵌挿される。
【００２４】
一対の張出部１７２には、それぞれ貫通孔１７５が形成されている。
貫通孔１７５は、組み立て状態において柱状部材１６の貫通孔１６４及び上部ケース１４の孔部１４３に対応する位置に形成されており、図３に示すように、貫通孔１７５、貫通孔１６４及び孔部１４３にねじ１８を挿通させることにより、上部ケース１４、柱状部材１６、軸支持部材１７及び上部ケース１４と柱状部材１６との間に配置される押圧部材１５が固定され、一体化される。
【００２５】
図４（ａ）は、本実施形態における軸本体部の斜視図であり、図４（ｂ）は、図４（ａ）に示す軸本体部の断面図である。
図３及び図４（ａ）、図４（ｂ）に示すように、本実施形態において、軸本体部２０は、軸芯部材２１、緩衝部材２２、ベアリング部材２３、接地支持部材２４、接地部材２５等を備えて構成されている。なお、軸本体部２０の構成はこれに限定されず、これら全ての部材を備えていなくてもよいし、これ以外の部材を備えていてもよい。
本実施形態において、軸本体部２０を軸保持部５０に対して上下動可能な余地を備えて配置されている。これにより一層軸本体部２０が回転しやすくなり、コマ玩具１が長時間円滑に回転し続けることができる。
【００２６】
軸芯部材２１は、軸部１０の軸中心とほぼ一致するように設けられた軸芯部２１１と、軸芯部２１１の上端に設けられ、軸芯部２１１の径よりも大きな径を有する軸頭部２１２とを有している。
軸芯部２１１には、環状の緩衝部材２２が挿通されている。
前述のように、組み立て状態において軸芯部材２１の軸芯部２１１は、軸支持部材１７の柱状部１７１内に挿入された状態で、柱状部材１６の筒状部１６１内に配置される。
このとき、緩衝部材２２の外径は、柱状部１７１の内径よりも大きく、筒状部１６１の内径よりも小さいため、緩衝部材２２は、柱状部１７１の上端面と軸頭部２１２の下側面との間に介在するように配置され、軸芯部材２１を安定的に配置させる。
【００２７】
また、軸芯部２１１の外径は、軸支持部材１７の凹部１７４に嵌挿された接地支持部材２４の筒状部２４３の内径よりも小さいため、軸芯部２１１は、軸支持部材１７内を柱状部１７１から凹部１７４内に至るまで貫通し、さらに凹部１７４内に嵌挿された筒状部２４３内に嵌め込まれる。
軸芯部２１１の先端側には、環状のベアリング部材２３が装着されている。このベアリング部材２３の外径は、軸支持部材１７の凹部１７４の内径よりも小さく、接地支持部材２４の筒状部２４３の内径及び軸支持部材１７の貫通孔１７３の内径よりも大きく形成されている。このため、ベアリング部材２３は、筒状部２４３の上端面と凹部１７４内の下側面（底面）との間に介在するように配置される。
これにより、ベアリング部材２３は軸本体部２０を構成する軸芯部材２１（軸芯部材２１の軸芯部２１１）と軸保持部５０（軸保持部５０の軸支持部材１７）との間に介在し、軸本体部２０は、軸保持部５０に対して軸周りに円滑に自由回転する回転部材として構成される。
なお、ベアリング部材２３の構成はどのようなものでもよく、軸保持部５０に対して軸本体部２０が円滑に自由回転し得るものであれば各種の構成のものを適用することができる。また、ベアリング部材２３を備えることは必須ではなく、これを備えない構成としてもよい。
【００２８】
接地支持部材２４は、接地部材２５を支持するものである。
本実施形態では、接地支持部材２４は、第１部材２４１と第２部材２４２との２つの部材で構成され、ほぼ半分に分割できるようになっている。これにより、部品の生産性に優れ、組み立て時にも容易に組み立てることができる。
第１部材２４１と第２部材２４２とを組み立てた状態において、接地支持部材２４の上部ほぼ中央には、筒状部２４３が形成される。
なお、図３及び図４（ａ）、図４（ｂ）に示す例では、第２部材２４２の側に筒状部２４３が形成されている場合を例示しているが、第１部材２４１及び第２部材２４２の形状等は図示例に限定されない。例えば、第１部材２４１及び第２部材２４２が接地支持部材２４をほぼ中央部で２分割したほぼ等しい形状の部材であり、両部材を合わせることで初めて筒状部２４３が形成される構成としてもよい。
また、接地支持部材２４内部には、後述する接地部材２５の頭部２５２を収容保持する収容部２４４が形成されている。
【００２９】
接地支持部材２４の筒状部２４３は、前述のように、軸支持部材１７の凹部１７４の内径よりも小さく形成されており、接地支持部材２４の筒状部２４３は、組み立て時に凹部１７４の内部に嵌挿されるようになっている。
また、筒状部２４３の内径は、軸芯部材２１の軸芯部２１１の外径よりも大きく形成されており、軸芯部２１１の先端側が筒状部２４３内に嵌め込まれるようになっている。
【００３０】
接地部材２５は、コマ玩具１の下端に配置され、接地面Ｆ（図６等参照）に接地するものである。
図５（ａ）は、本実施形態における接地部材２５の斜視図である。
図４（ａ）、図４（ｂ）及び図５（ａ）に示すように、本実施形態では、接地部材２５は、接地部２５１と、接地支持部材２４に係止される頭部２５２と、を備えている。
前述のように、接地部材２５の頭部２５２が接地支持部材２４内部の収容部２４４に収容保持されることで、接地部材２５が接地支持部材２４に係止される。
【００３１】
接地部２５１は、軸本体部２０の、軸部１０における下端部に設けられ、接地面Ｆに接地した際にその接地部分が弾性変形可能に形成された環状の部分である。本実施形態では、接地部２５１は、下端に行くにしたがって径が大きくなるテーパ状に形成されている。
接地部材２５は、少なくとも接地部２５１が弾性変形可能な軟性の材料で形成されている。軟性の材料としては、例えばシリコーン等が考えられるが、特に限定されない。
本実施形態のコマ玩具１は、回転させた際に、接地部２５１の接地した部分がコマ玩具１自体の重さ等によって変形し、コマ玩具１の軸中心から離れる方向（すなわち外側）に捲れるように倒れる。
これにより、コマ玩具１の軸部１０が傾くが、傾き量に応じて接地部２５１も大きく潰れ、接地面積が増大する。このため、コマ玩具１は軸部１０が傾いたままその場で頭（胴部４０）を振るように回転し続ける。
【００３２】
また、本実施形態では、接地部材２５は、接地部２５１が接地面Ｆに吸着可能な吸盤となっている。
このため、吸着力によって接地面Ｆに吸着した場合には、その場で頭（胴部４０）を振るのみで接地面Ｆを構成するフィールド（対戦フィールド）内を動き回ることがなく、フィールドから飛び出しにくい。
そして、前述のように、軸本体部２０を構成する軸芯部材２１（軸芯部材２１の軸芯部２１１）と軸保持部５０（軸保持部５０の軸支持部材１７）との間にはベアリング部材２３が介在し、軸本体部２０が軸保持部５０に対して軸周りに自由回転するように構成されているため、接地部２５１が接地面Ｆに吸着しても、コマ玩具１は回転を止めることなく回り続ける。
【００３３】
なお、接地部材２５の形状は、図５（ａ）に示したものに限定されない。
例えば、図５（ｂ）に示すように、外観を側面視した場合に円筒状である接地部２５１ａを備えていてもよい。
なお、この場合にも、コマ玩具１の軸部１０が傾いた際に、接地部２５１ａがコマ玩具１の軸中心から離れる方向（すなわち外側）に捲れるように倒れることが好ましい。
このため、図５（ｃ）に示すように、接地部２５１ａの内側を、下端に行くにしたがって径が大きくなるテーパ状に形成し、接地部２５１ａがコマ玩具１の軸中心から離れる方向（すなわち外側）に捲れやすいように形成することが好ましい。
なお、接地部材２５の形状は、接地部２５１が接地した際に、接地部２５１がコマ玩具１の軸中心から離れる方向（すなわち外側）に倒れて接地面積が増大するような構成のものであればよく、ここに例示した以外の形状でもよい。
【００３４】
《組立方法》
次に、コマ玩具１の組立方法の一例を説明する。なお、ここでは、軸部１０の組立を中心に説明する。
まず、上部ケース１４、押圧部材１５、柱状部材１６を組み付ける。そして、軸芯部材２１の軸芯部２１１に緩衝部材２２を挿通させた後、軸芯部２１１を軸支持部材１７の柱状部１７１内に上方から挿入し、軸支持部材１７の下側の凹部１７４内に軸芯部２１１の先端側を突出させる。
また、接地部材２５の頭部２５２を接地支持部材２４内部の収容部２４４に収容保持させて、接地部材２５を接地支持部材２４に係止させる。
凹部１７４内に突出した軸芯部２１１の先端側にベアリング部材２３を取り付け、軸芯部２１１の先端側を接地支持部材２４の筒状部２４３内に圧入する。
これにより、図４（ａ）及び図４（ｂ）に示す軸本体部２０が、軸支持部材１７に取り付けられた状態となる。
【００３５】
この状態で、上部ケース１４、押圧部材１５、柱状部材１６に、軸本体部２０が取り付けられた軸支持部材１７を組み付けて、貫通孔１７５、貫通孔１６４及び孔部１４３にねじ１８を挿通させる。これにより、軸本体部２０、上部ケース１４、柱状部材１６、軸支持部材１７及び上部ケース１４と柱状部材１６との間に配置される押圧部材１５が固定される。
これにより、軸部１０を構成する全ての部品が一体化され、軸部１０の組み立てが完了する。
【００３６】
そして、このようにして組み立てられた軸部１０の上部に性能可変リング３０を嵌合状態に組み付ける。
さらに、この組付け体を下方から胴体４０に対して組み付け、胴体４０や性能可変リング３０が容易に軸部１０から外れないようにロック状態とする。
これにより、本実施形態におけるコマ玩具１の組み立てが完了する。
【００３７】
《遊び方及び作用》
続いて、このコマ玩具１を使用しての遊び方の一例及びコマ玩具１の作用を説明する。
この遊び方の一例では、コマ玩具１を回転させて、相手方のコマ玩具と戦いを行う。
この場合、コマ玩具１の回転力のチャージは、図示しないランチャー等を用いて行い、コマ玩具１を回転させて所定のフィールド（対戦フィールド）上に発射する。
【００３８】
このようにして発射されたコマ玩具１は当該フィールドにおいて回転させられ、相手方のコマ玩具に衝突すると、衝突による衝撃力等がコマ玩具１に作用する。そして、衝突を繰り返すことでコマ玩具１のロック状態が解除されると、図１（ｂ）に示すように、コマ玩具１は軸部１０と性能可変リング３０及び胴体４０とに分解される。
【００３９】
本実施形態のコマ玩具１は、フィールド上に発射され、接地部材２５の接地部２５１がフィールドの接地面Ｆに接地すると、図６に示すように、接地部２５１における接地部分がコマ玩具１の軸中心から離れる方向（すなわち外側）に倒れる（潰れる）ように弾性変形する。
これにより、軸部１０が傾き、この傾きに応じて接地部２５１の接地面積が増大し、コマ玩具１は、倒れることなくその場で傾いたまま回転し続ける。
【００４０】
図７（ａ）に示すように、対戦するコマ玩具同士が、いずれも軸部１０の軸線がフィールド等の接地面Ｆに対して垂直のまま衝突し合うと、コマ玩具は、胴体４０の側面同士で衝突する。このため、受ける衝撃が大きく、強く弾き飛ばされたりすることで、コマ玩具のロック状態が解除されて分解されやすくなる。
これに対して、図７（ｂ）に示すように、コマ玩具１が傾いた状態で回転している場合には、対戦相手のコマ玩具の側面に対して、コマ玩具１の胴体４０の上面が衝突する。このため、衝撃を受け流すことができ、大きなダメージを受けにくい。
【００４１】
また、接地部２５１が吸盤となっている場合には、フィールド等の接地面Ｆに接地部２５１が吸着し、対戦相手のコマ玩具と衝突した場合にもフィールドから弾き出されることなく、粘り強く長い時間安定して回転し続けることができる。
【００４２】
《本実施形態の効果》
以上のように、本実施形態によれば、軸本体部が軸保持部に対して軸周りに自由回転するように構成されているとともに、コマ玩具の接地部が、接地面に接地した際接地部分が弾性変形可能に形成されている。
これにより、接地面Ｆに対して軸部１０が傾いた状態でコマ玩具１が回転するようになり、対戦相手のコマ玩具と側面同士で衝突するのを避けることができ、衝突によるダメージを受けにくく、長時間回転し続けることのできるコマ玩具１を実現することができる。
【００４３】
また、コマ玩具１の軸本体部２０と軸保持部５０との間に介在するベアリング部材２３をさらに備えている。
このため、軸本体部２０の軸保持部５０に対する摩擦が低減されて、軸部１０の回転が阻害されず、コマ玩具１が長時間円滑に回転し続けることができる。
さらに、コマ玩具１における接地部材２５の接地部２５１を接地面Ｆに吸着可能な吸盤とした場合には、接地面Ｆに吸着することで、対戦相手のコマ玩具による攻撃等により衝撃を受けた際にも粘り強く、フィールドにとどまることができ、防御力に優れたコマ玩具１を実現することができる。
また、軸本体部２０は軸保持部５０に対して上下動可能な余地を備えて配置されているため、軸本体部２０がより回転しやすくなり、コマ玩具１が長時間円滑に回転し続けることができる。
【００４４】
なお、以上本発明の実施形態について説明したが、本発明は、かかる実施形態に限定されず、その要旨を逸脱しない範囲で、種々変形が可能であることは言うまでもない。
【００４５】
例えば、上記実施形態では、軸芯部材２１の軸芯部２１１の周りにベアリング部材２３を設ける例を示したが、接地部材２５又はこれを備える軸本体部２０が軸保持部５０に対して自由回転できる回転部材として構成されていてもよい。この場合には自由回転する部材が軸保持部５０に対して自由回転できるようにベアリング部材２３を配置すればよく、ベアリング部材２３は軸芯部２１１の周りに設けられる場合に限定されない。
例えば、軸芯部材２１を軸保持部５０側に固定とし、接地部材２５又はこれを支持する接地支持部材２４の周囲等にベアリング部材２３を配置してもよい。
【符号の説明】
【００４６】
１      コマ玩具
１０    軸部
１７    軸支持部材
２０    軸本体部
２２    緩衝部材
２３    ベアリング部材
２５    接地部材
３０    性能可変リング
４０    胴体
５０    軸保持部
【図１】
2020005937.tif 000003
【図２】
2020005937.tif 000004
【図３】
2020005937.tif 000005
【図４】
2020005937.tif 000006
【図５】
2020005937.tif 000007
【図６】
2020005937.tif 000008
【図７】
2020005937.tif 000009
【手続補正書】
【提出日】令和1年7月23日(2019.7.23)
【手続補正１】
【補正対象書類名】明細書
【補正対象項目名】０００７
【補正方法】変更
【補正の内容】
【０００７】
第１の手段は、
回転中心と一致する軸線を軸中心とする軸本体部と、該軸本体部を保持する軸保持部と、を有する軸部を備え、
前記軸本体部の下端部には、接地面に接地した際接地部分が弾性変形可能に形成された環状の接地部と、前記接地部の環状中心に垂設された突起部と、を有する接地部材が設けられており、
前記接地部の下端は、前記突起部の下端よりも下方に位置し、
少なくとも前記接地部材は、前記軸保持部に対して軸周りに自由回転する回転部材として構成されていることを特徴とするコマ玩具。
【手続補正２】
【補正対象書類名】明細書
【補正対象項目名】０００８
【補正方法】変更
【補正の内容】
【０００８】
第２の手段は、第１の手段において、
前記接地部材の上部を挟み込んで、前記軸部の軸中心と前記接地部材の軸中心とが一致するように支持する接地支持部材を有していることを特徴とする。
第３の手段は、第１の手段又は第２の手段において、
前記軸本体部は、前記回転中心と一致する軸線を軸中心とする軸芯部材を有し、前記接地部材は、該軸芯部材の下方に配置されており、
前記軸本体部全体が前記軸保持部に対して軸周りに自由回転する前記回転部材として構成されていることを特徴とする。
【手続補正３】
【補正対象書類名】明細書
【補正対象項目名】０００９
【補正方法】変更
【補正の内容】
【０００９】
第４の手段は、第１の手段から第３の手段のいずれか一の手段において、
前記回転部材と前記軸保持部との間に介在するベアリング部材をさらに備えていることを特徴とする。
【手続補正４】
【補正対象書類名】明細書
【補正対象項目名】００１０
【補正方法】変更
【補正の内容】
【００１０】
第５の手段は、第１の手段から第４の手段のいずれか一の手段において、
前記接地部材は、前記接地部が前記接地面に吸着可能な吸盤であることを特徴とする。
【手続補正５】
【補正対象書類名】明細書
【補正対象項目名】００１１
【補正方法】変更
【補正の内容】
【００１１】
第６の手段は、第１の手段から第５の手段のいずれか一の手段において、
前記軸本体部は、前記軸保持部に対して上下動可能な余地を備えて配置されていることを特徴とする。
【手続補正６】
【補正対象書類名】特許請求の範囲
【補正対象項目名】全文
【補正方法】変更
【補正の内容】
【特許請求の範囲】
【請求項１】
回転中心と一致する軸線を軸中心とする軸本体部と、該軸本体部を保持する軸保持部と、を有する軸部を備え、
前記軸本体部の下端部には、接地面に接地した際接地部分が弾性変形可能に形成された環状の接地部と、前記接地部の環状中心に垂設された突起部と、を有する接地部材が設けられており、
前記接地部の下端は、前記突起部の下端よりも下方に位置し、
少なくとも前記接地部材は、前記軸保持部に対して軸周りに自由回転する回転部材として構成されていることを特徴とするコマ玩具。
【請求項２】
前記接地部材の上部を挟み込んで、前記軸部の軸中心と前記接地部材の軸中心とが一致するように支持する接地支持部材を有していることを特徴とするコマ玩具。
【請求項３】
前記軸本体部は、前記回転中心と一致する軸線を軸中心とする軸芯部材を有し、前記接地部材は、該軸芯部材の下方に配置されており、
前記軸本体部全体が前記軸保持部に対して軸周りに自由回転する前記回転部材として構成されていることを特徴とする請求項１又は請求項２に記載のコマ玩具。
【請求項４】
前記回転部材と前記軸保持部との間に介在するベアリング部材をさらに備えていることを特徴とする請求項１から請求項３のいずれか一項に記載のコマ玩具。
【請求項５】
前記接地部材は、前記接地部が前記接地面に吸着可能な吸盤であることを特徴とする請求項１から請求項４のいずれか一項に記載のコマ玩具。
【請求項６】
前記軸本体部は、前記軸保持部に対して上下動可能な余地を備えて配置されていることを特徴とする請求項１から請求項５のいずれか一項に記載のコマ玩具。
【手続補正書】
【提出日】令和1年9月4日(2019.9.4)
【手続補正１】
【補正対象書類名】特許請求の範囲
【補正対象項目名】全文
【補正方法】変更
【補正の内容】
【特許請求の範囲】
【請求項１】
回転中心と一致する軸線を軸中心とする軸本体部と、該軸本体部を保持する軸保持部と、を有する軸部を備え、
前記軸本体部の下端部には、接地面に接地した際接地部分が弾性変形可能に形成された環状の接地部と、前記接地部の環状中心に垂設された突起部と、を有する接地部材が設けられており、
前記接地部の下端は、前記突起部の下端よりも下方に位置し、
少なくとも前記接地部材は、前記軸保持部に対して軸周りに自由回転する回転部材として構成されていることを特徴とするコマ玩具。
【請求項２】
前記接地部材の上部を挟み込んで、前記軸部の軸中心と前記接地部材の軸中心とが一致するように支持する接地支持部材を有していることを特徴とする請求項１に記載のコマ玩具。
【請求項３】
前記軸本体部は、前記回転中心と一致する軸線を軸中心とする軸芯部材を有し、前記接地部材は、該軸芯部材の下方に配置されており、
前記軸本体部全体が前記軸保持部に対して軸周りに自由回転する前記回転部材として構成されていることを特徴とする請求項１又は請求項２に記載のコマ玩具。
【請求項４】
前記回転部材と前記軸保持部との間に介在するベアリング部材をさらに備えていることを特徴とする請求項１から請求項３のいずれか一項に記載のコマ玩具。
【請求項５】
前記接地部材は、前記接地部が前記接地面に吸着可能な吸盤であることを特徴とする請求項１から請求項４のいずれか一項に記載のコマ玩具。
【請求項６】
前記軸本体部は、前記軸保持部に対して上下動可能な余地を備えて配置されていることを特徴とする請求項１から請求項５のいずれか一項に記載のコマ玩具。